(57)【要約】【課題】姿勢にかかわらず振動抑制機能を発揮できるようにして、打感と静音性を向上させる。【解決手段】介在部材３０の突起部３３を含む基部３１は、パッド体１０のベース部１２と係合部３２の鉤部３２ａとの間に介在し、打撃時にケース４０から受ける反力によって弾性変形することによってパッド体１０とケース４０との間の振動伝達を抑制する。ケース４０の介在部材３０に対応する部分に形成された貫通穴４１ａの周りの肉部が被係合部４１となる。係合部３２が貫通穴４１ａを貫通する。介在部材３０の突起部３３と係合部３２の鉤部３２ａとで、ケース４０における貫通穴４１ａの周りの肉部を上下方向に弾性的に挟み込んでいる。すなわち、係合部３２を被係合部４１に係合させることで、係合部３２の弾性によって突起部３３がケース４０の被係合部４１に対して強制的に押圧状態で接触させられる。【選択図】図１
2015215439.tif 000002
【特許請求の範囲】
【請求項１】
打撃面を有する打撃用のパッド体と、
支持体と、
弾性を有し、前記パッド体と前記支持体との間に介在する介在部材と、を有し、
前記介在部材は、打撃時に前記支持体から受ける反力によって弾性変形することによって前記パッド体と前記支持体との間の振動伝達を抑制する振動抑制部と、係合部とを有し、
前記パッド体及び前記支持体のいずれか一方である構成体は、前記介在部材の前記係合部と係合する被係合部を有し、
前記介在部材の前記係合部を前記構成体の前記被係合部に係合させることで、前記係合部の弾性によって前記振動抑制部が前記構成体に対して強制的に押圧状態で接触させられることを特徴とするパッド体の支持構造。
【請求項２】
前記介在部材の前記振動抑制部は、前記構成体に向かって突設された突起部を有することを特徴とする請求項１記載のパッド体の支持構造。
【請求項３】
前記介在部材の前記振動抑制部と前記係合部とで前記構成体の前記被係合部の肉部を挟み込むことを特徴とする請求項１または２記載のパッド体の支持構造。
【請求項４】
前記介在部材の前記振動抑制部は、前記構成体に向かって突設された突起部を有し、
前記突起部の突設方向において、前記介在部材の前記突起部と前記係合部とで前記構成体の前記被係合部の肉部を挟み込むことを特徴とする請求項１記載のパッド体の支持構造。
【請求項５】
前記パッド体は心材を内包し、
前記突起部と前記構成体との接触位置を通り、前記突起部の突設方向に平行な直線上に、前記心材が存在することを特徴とする請求項４記載のパッド体の支持構造。
【請求項６】
前記構成体は前記支持体であり、前記介在部材は、前記パッド体の一部を構成する弾性材と一体に形成されることを特徴とする請求項１〜５のいずれか１項に記載のパッド体の支持構造。
【請求項７】
前記構成体には、前記被係合部の一部を構成する貫通穴が形成され、
前記介在部材の前記係合部の先端部は、前記貫通穴より大きく構成され、前記係合部の前記先端部を、前記貫通穴を貫通させることで、前記係合部が前記構成体に対する前記介在部材の抜け止め機能を果たすことを特徴とする請求項１〜６のいずれか１項に記載のパッド体の支持構造。
【発明の詳細な説明】
【技術分野】
【０００１】
本発明は、打楽器等に適用され、打撃面を有するパッド体を支持体に支持させるパッド体の支持構造に関する。
【背景技術】
【０００２】
従来、打楽器や打撃検出装置等に適用されるパッド体の支持構造として、支持体から打撃パッドへの微振動を遮断するために、弾性のある突起部とを有する介在部材を、パッド体と支持体との間に介在させるものが知られている（下記特許文献１）。
【０００３】
図４（ａ）は、上記従来のパッド体の支持構造を模式的に示す断面図である。
【０００４】
この配設構造においては、パッド体１１０及びケース１４０（支持体）の少なくとも一方が、介在部材１５０に対して突起部１５１にのみ接した状態となるように、介在部材１５０がパッド体１１０とケース１４０との間に介在する。図４（ａ）の例では、パッド体１１０と一体に構成される固着部材１２の別部品１３０に対して突起部１５１が常時接触する。打撃時には、突起部１５１が、その弾性変形によって、パッド体１１０とケース１４０との間の振動伝達を抑制するので、打感や静音性も向上する。
【先行技術文献】
【特許文献】
【０００５】
【特許文献１】特開２０１０−２６２１６６号公報
【発明の概要】
【発明が解決しようとする課題】
【０００６】
上記従来のパッド体の支持構造が適用される電子打楽器は、図４（ａ）に示すように、パッド体１１０がほぼ水平となる姿勢で演奏された場合は、狙い通りの効果を発揮する。しかしながら、図４（ｂ）に示すように、パッド体１１０が逆さに近い姿勢とされると、ケース１４０に対するパッド体１１０の位置が変位し得ることから、パッド体１１０の別部品１３０に対して突起部１５１が接触しない状態となることがある。
【０００７】
この姿勢で演奏されると、突起部１５１が正常に働かず、振動抑制機能を発揮しない。また、打撃の度に動く部分とそれに対して離接を繰り返す部分とに摩擦による摩耗が生じ、打感や耐久性を低下させるおそれがある。これらのことは、パッド体１１０が水平でない、例えば、斜め置き、横置き、逆さ置き等の場合のいずれにおいても生じ得る。
【０００８】
本発明は上記従来技術の問題を解決するためになされたものであり、その目的は、姿勢にかかわらず振動抑制機能を発揮できるようにして、打感と静音性を向上させることができるパッド体の支持構造を提供することにある。
【課題を解決するための手段】
【０００９】
上記目的を達成するために本発明の請求項１のパッド体の支持構造は、打撃面（１０ａ）を有する打撃用のパッド体（１０）と、支持体（４０）と、弾性を有し、前記パッド体と前記支持体との間に介在する介在部材（３０）と、を有し、前記介在部材は、打撃時に前記支持体から受ける反力によって弾性変形することによって前記パッド体と前記支持体との間の振動伝達を抑制する振動抑制部（３１、３３）と、係合部（３２）とを有し、前記パッド体及び前記支持体のいずれか一方である構成体（１０、４０）は、前記介在部材の前記係合部と係合する被係合部（４１、１２ａ、１５、４２）を有し、前記介在部材の前記係合部を前記構成体の前記被係合部に係合させることで、前記係合部の弾性によって前記振動抑制部が前記構成体に対して強制的に押圧状態で接触させられることを特徴とする。
【００１０】
好ましくは、前記介在部材の前記振動抑制部は、前記構成体に向かって突設された突起部（３３）を有する（請求項２）。好ましくは、前記介在部材の前記振動抑制部と前記係合部とで前記構成体の前記被係合部（４１、１２ａ）の肉部を挟み込む（請求項３）。好ましくは、前記介在部材の前記振動抑制部は、前記構成体に向かって突設された突起部を有し、前記突起部の突設方向において、前記介在部材の前記突起部（３３）と前記係合部（３２）とで前記構成体の前記被係合部（４１、１２ａ）の肉部を挟み込む（請求項４）。好ましくは、前記パッド体は心材（１８）を内包し、前記突起部と前記構成体との接触位置を通り、前記突起部の突設方向に平行な直線（Ｌ）上に、前記心材が存在する（請求項５）。好ましくは、前記構成体は前記支持体（４０）であり、前記介在部材は、前記パッド体の一部を構成する弾性材（１９）と一体に形成される（請求項６）。好ましくは、前記構成体には、前記被係合部（４１、１２ａ）の一部を構成する貫通穴（４１ａ、１２ａａ）が形成され、前記介在部材の前記係合部（３２）の先端部（３２ａ）は、前記貫通穴より大きく構成され、前記係合部の前記先端部を、前記貫通穴を貫通させることで、前記係合部が前記構成体に対する前記介在部材の抜け止め機能を果たす（請求項７）。
【００１１】
なお、上記括弧内の符号は例示である。
【発明の効果】
【００１２】
本発明の請求項１によれば、姿勢にかかわらず振動抑制機能を発揮できるようにして、打感と静音性を向上させることができる。
【００１３】
請求項２によれば、弾性変形しやすくして、高い振動抑制機能を発揮することができる。請求項３によれば、振動抑制部と構成体との接触状態を良好にし、高い振動抑制機能を確保することができる。請求項４によれば、弾性変形しやすい突起部と構成体との接触状態を良好にし、高い振動抑制機能を確保することができる。請求項５によれば、突起部が突設方向に正確に圧縮変形するようにして、振動抑制の性能を高めることができる。請求項６によれば、部品点数削減と組み付け工数削減を図ることができる。請求項７によれば、構成部品を増やすことなく介在部材の確実な抜け止めを実現することができる。
【図面の簡単な説明】
【００１４】
【図１】本発明の一実施の形態に係る打撃用のパッド体の支持構造が適用される電子打楽器における１つのパッド体の周りの模式的な縦断面図である。
【図２】第１、第２の変形例に係る電子打楽器における１つの介在部材とその周辺構成の模式的断面図である。
【図３】第３〜第７の変形例に係る電子打楽器における１つの介在部材とその周辺構成の模式的断面図である。
【図４】従来のパッド体の支持構造を模式的に示す断面図（図（ａ））、姿勢を変えたパッド体の断面図（図（ｂ））である。
【発明を実施するための形態】
【００１５】
以下、本発明の実施の形態を図面を参照して説明する。
【００１６】
図１は、本発明の一実施の形態に係る打撃用のパッド体の支持構造が適用される電子打楽器における１つのパッド体の周りの模式的な縦断面図である。本電子打楽器は、電子的に楽音を発生させる電子ドラムとして構成される。不図示のドラムラックに複数のケース４０が支持され、各ケース４０にパッド体１０が支持されるが、図１ではそのうちの１つのパッド体１０が示されている。
【００１７】
パッド体１０の種類としては、例えば、スネアドラムやタム用に構成されたものであるが、これらに限られない。本発明の支持構造は打楽器への適用が想定されるが、それに限られず、例えば練習専用の打撃装置に適用してもよい。あるいは、打撃を検出して信号を取得するための打撃検出装置に適用してもよい。
【００１８】
パッド体１０は、円形のパッド部１１と、パッド部１１の裏側に固定された円形のベース部１２とを有する。パッド部１１の表側の面である上面が、打撃される打撃面１０ａを提供する。パッド体１０は、必ずしも打撃面１０ａが水平となるように設置されるとは限らないが、以降、打撃面１０ａが水平である場合を基準として、上下方向や左右方向を呼称する。打撃部材による打撃方向は、打撃面１０ａに垂直な方向であり、打撃部材により押される方向（図１では下方）である。
【００１９】
ベース部１２は硬質の樹脂等で構成される。ベース部１２の裏側に、打撃センサ１７が配設される。打撃センサ１７は圧電素子等を有し、ベース部１２の振動を電気信号に変換し、その信号を打撃の有無や強さとして検出するものである。ただし、振動により打撃を検出するものであればよく、構成や配設位置は問わない。打撃面１０ａが打撃されるとベース部１２が振動し、それが打撃センサ１７により検出される。その検出信号に基づいて、図示しない楽音発生部によってドラム音が発生する。
【００２０】
ベース部１２の下面には、複数の介在部材３０が固着される。ケース４０の外周部において盛り上がった部分に対応して、介在部材３０は、ベース部１２の円周方向において等間隔で例えば６箇所に配置される。
【００２１】
介在部材３０は、ケース４０とパッド体１０との間の振動の伝達を遮断ないし抑制するインシュレータとしての機能を果たす。介在部材３０は、弾性を有する材料であれば種類は問わない。例えば、シリコンゴムのほか、ブチルゴム、天然ゴム、ウレタンゴム等であってもよい。介在部材３０は、例えば、金型射出成形によって成形され、一体に形成される。
【００２２】
介在部材３０は基部３１を有し、基部３１からは、軸部３２ｂと軸部３２ｂに連設される先端部である鉤部３２ａとで成るＬ字形の係合部３２が、取り付け部として下方に突設される。基部３１の下面には複数の突起部３３が基部３１と一体に形成されている。突起部３３は、打撃方向に垂直な断面形状が例えば円形であり、その断面積は先端ほど小さくなっていて、先端は丸まっている。突起部３３は、係合部３２の軸部３２ｂの周りに複数箇所（例えば４箇所）に形成される。各介在部材３０とその周辺要素の構成は共通である。
【００２３】
ケース４０の盛り上がった部分において、介在部材３０に対応する部分には、貫通穴４１ａが形成される。ケース４０における貫通穴４１ａの周りの肉部が、介在部材３０の係合部３２と係合する被係合部４１となる。係合部３２が貫通穴４１ａを貫通し、係合部３２の鉤部３２ａが被係合部４１の下側に水平に延在する。介在部材３０の突起部３３と係合部３２の鉤部３２ａとの間隔は、自由状態においては被係合部４１の厚みより狭い。
【００２４】
従って、介在部材３０の突起部３３と係合部３２の鉤部３２ａとで、ケース４０における貫通穴４１ａの周りの肉部を上下方向に弾性的に挟み込んでいる。すなわち、係合部３２を被係合部４１に係合させることで、係合部３２の弾性によって突起部３３がケース４０の被係合部４１に対して強制的に押圧状態で接触させられる。
【００２５】
介在部材３０のうち、特に突起部３３を含む基部３１は、パッド体１０のベース部１２と係合部３２の鉤部３２ａとの間に介在し、打撃時にケース４０から受ける反力によって弾性変形することによってパッド体１０とケース４０との間の振動伝達を抑制する振動抑制部（インシュレータ）として機能する。特に、突起部３３は、ケース４０に向かって（下方に）突設されるので、弾性変形しやすく、高い振動抑制機能が発揮される。また、突起部３３がケース４０に強制的に押圧状態とされているので、介在部材３０自身の変形はあるとしても、ケース４０に対してずれることはない。従って、本電子打楽器の姿勢が横置きや天地逆置き等によって変わったとしても、突起部３３と被係合部４１とが離間することがない。
【００２６】
本実施の形態によれば、突起部３３が被係合部４１に対して強制的に押圧状態で接触させられるので、電子ドラムの姿勢にかかわらず介在部材３０が振動抑制機能を発揮できるようにして、打感と静音性を向上させることができる。
【００２７】
特に、突起部３３と係合部３２の鉤部３２ａとで被係合部４１の肉部を挟み込むので、弾性変形しやすい突起部３３とケース４０との接触状態を良好にし、高い振動抑制機能を確保することができる。
【００２８】
また、振動抑制部である介在部材３０それ自身がケース４０に対して取り付くので、振動抑制部を、別部品を用いて固定するという構成が不要となり、部品点数の削減、組み付け工数の削減、軽量化に繋がる。
【００２９】
（変形例）
電子ドラムの姿勢にかかわらず介在部材３０が振動抑制機能を発揮できるようにして、打感と静音性を向上させるという効果を奏する観点で、介在部材３０とパッド体１０やケース４０との関係、介在部材３０の形状、介在部材３０を固定する構造等については、各種の変形例が考えられる。以下、図２、図３で変形例を示す。なお、これらの変形例においては１つの介在部材３０とその周辺構成を例示するが、他の介在部材３０についても同様に構成される。
【００３０】
図２（ａ）、（ｂ）は、第１、第２の変形例に係る電子打楽器における１つの介在部材３０とその周辺構成の模式的断面図である。
【００３１】
第１の変形例（図２（ａ））では、図１の構成に対して、係合部３２の鉤部３２ａの形状が異なり、その他の構成は同様である。
【００３２】
図２（ａ）に示すように、係合部３２の鉤部３２ａは、貫通穴４１ａの軸心方向からみて、貫通穴４１ａより大きく構成され、例えば円形に形成される。鉤部３２ａが貫通穴４１ａを貫通することで、係合部３２が、ケース４０に対する介在部材３０の抜け止め機能をより確実に果たす。図１の構成では、姿勢や加わる外力によっては鉤部３２ａが貫通穴４１ａから抜けるおそれもあったが、第１の変形例では、構成部品を増やすことなく介在部材３０の確実な抜け止めを実現することができる。
【００３３】
また、図１の構成では、鉤部３２ａが偏って形成され、被係合部４１の一部と係合する構成であった。しかし図２（ａ）の構成では、鉤部３２ａが貫通穴４１ａの軸心の周りに延在することから、より多くの突起部３３と鉤部３２ａとで、貫通穴４１ａの周りの肉部を挟み込むことができる。これにより、各々の突起部３３への圧縮力が均等にかかるので、振動伝達抑制機能をより適切に果たすことができる。
【００３４】
第２の変形例（図２（ｂ））では、第１の変形例（図２（ａ））に対して、介在部材３０をパッド体１０と一体に形成した点が異なり、その他の構成は同様である。
【００３５】
図２（ｂ）に示すように、パッド体１０は、軟質部１９及び硬質部材１８を有する。軟質部１９には、鉄板等の硬質部材１８が心材として内包される。軟質部１９は、図１で説明した介在部材３０と同じ弾性材で構成され、この第２の変形例では、介在部材３０は軟質部１９の一部として軟質部１９と一体に形成される。硬質部材１８は、パッド体１０の成形時に軟質部１９に組み付けてもよいが、事後的に嵌め込み等によって内装してもよい。
【００３６】
また、硬質部材１８は、打撃面１０ａに平行な方向において介在部材３０が存在する領域まで延設されている。すなわち、各々の突起部３３について、突起部３３と被係合部４１との接触位置を通り、突起部３３の突設方向に平行な直線Ｌ上に、硬質部材１８が存在するように硬質部材１８が配置されている。
【００３７】
第２の変形例によれば、介在部材３０は軟質部１９の一部として一体に形成されるので、介在部材３０をケース４０に組み付ける工程が、パッド体１０をケース４０に組み付ける工程を兼ねる。これにより、部品点数削減と組み付け工数削減を図ることができる。
【００３８】
また、介在部材３０と軟質部１９とが同じ材料であるため、打感を調整したい場合に、実質的には軟質部１９の材料選定を検討すればよく、打感や揺れのバランスをとる作業が容易となる。
【００３９】
また、仮に、硬質部材１８の直径が小さいと、介在部材３０の上方にある軟質部１９に打撃による反力がかかり、介在部材３０が傾き、各突起部３３に不均等に力が作用するおそれがある。しかし、第２の変形例では介在部材３０の上方に硬質部材１８が存在するので、打撃時にはパッド体１０の全体が水平を保ったまま介在部材３０が弾性変形しやすい。これにより、各突起部３３が均等に潰れやすい。すなわち、突起部３３が突設方向に正確に圧縮変形するようにして、振動抑制の性能を高めることができる。
【００４０】
図３（ａ）〜（ｅ）は、第３〜第７の変形例に係る電子打楽器における１つの介在部材３０とその周辺構成の模式的断面図である。
【００４１】
第３の変形例（図３（ａ））では、突起部を振動抑制部の側でなく支持体の側に設ける。第３の変形例では、第１の変形例（図２（ａ））に対して、介在部材３０から突起部３３を廃止すると共に、ケース４０の被係合部４１において、介在部材３０に対向するケース４０の面（上面）に突起部４３を設ける点が異なり、その他の構成は同様である。突起部４３は、ケース４０と一体または別体に構成され、例えば、硬質樹脂や金属等の硬質材で構成される。突起部４３は、突起部３３とは突設方向が逆となるだけで、形状については突起部３３と同様である。
【００４２】
パッド体１０が打撃されて打撃方向に変位する行程において、突起部４３から押圧力を受けて基部３１の裏面が窪む。すなわち、基部３１に圧縮を主とする弾性変形が生じ、突起部４３が基部３１に食い込む。これにより、パッド体１０とケース４０との間の振動伝達が抑制される。
【００４３】
この第３の変形例によれば、突起部４３自体は弾性変形をほとんどせず、大きな肉部を有する基部３１が弾性変形するため、振動抑制部の耐久性を向上させることができる。また、突起部４３はケース４０に設けられるので、介在部材３０の軟質の基部３１の形状が単純になり、成形工程が簡素化される。
【００４４】
第４、第５の変形例（図３（ｂ）、（ｃ））では、介在部材３０の係合部３２と係合する被係合部を、ケース４０ではなくパッド体１０に設ける。
【００４５】
まず、第１の変形例（図２（ａ））に対し、第４の変形例（図３（ｂ））では、介在部材３０が上下で逆転した形状となっている。介在部材３０の基部３１はケース４０の基部４０ａに固着される。ケース４０に貫通穴４１ａが形成される代わりに、パッド体１０のベース部１２に貫通穴１２ａａが形成され、貫通穴１２ａａの周りの肉部が、介在部材３０の係合部３２と係合する被係合部１２ａとなる。
【００４６】
係合部３２が貫通穴１２ａａを貫通する。介在部材３０の突起部３３と係合部３２の鉤部３２ａとで、ベース部１２における貫通穴１２ａａの周りの肉部を上下方向に弾性的に挟み込んでいる。すなわち、係合部３２を被係合部１２ａに係合させることで、係合部３２の弾性によって突起部３３が被係合部１２ａに対して強制的に押圧状態で接触させられる。
【００４７】
突起部３３の突設方向がベース部１２に向かう上方である点が第１の変形例とは異なるが、介在部材３０の突起部３３を含む基部３１が、ケース４０とベース部１２との間に介在し、打撃時にケース４０から受ける反力によって弾性変形することによってパッド体１０とケース４０との間の振動伝達を抑制するという作用は同様である。
【００４８】
第５の変形例（図３（ｃ））では、第４の変形例（図３（ｂ））に対し、突起部を振動抑制部の側でなくパッド体１０の側に設ける。第５の変形例では、第４の変形例に対して、介在部材３０から突起部３３を廃止すると共に、ベース部１２の被係合部１２ａにおいて、介在部材３０に対向するベース部１２の面（下面）に突起部１４を設ける点が異なり、その他の構成は同様である。突起部１４は、ベース部１２と一体または別体に構成される。
【００４９】
打撃時には、突起部１４から押圧力を受けて基部３１の表面が窪む。すなわち、基部３１に圧縮を主とする弾性変形が生じ、突起部１４が基部３１に食い込む。これにより、パッド体１０とケース４０との間の振動伝達が抑制される。振動抑制部の耐久性向上、成形工程の簡素化の効果については、第３の変形例（図３（ａ））と同様である。
【００５０】
第６、第７の変形例（図３（ｄ）、（ｅ））では、振動抑制部（介在部材３０）の係合部３２と被係合部との雄雌関係を反対にする。しかも、第６の変形例では、被係合部をケース４０に設け、第７の変形例では被係合部をパッド体１０に設ける。
【００５１】
第６の変形例（図３（ｄ））では、ケース４０の基部４０ａから、軸部４２ｂと軸部４２ｂに連設される先端部である鉤部４２ａとで成る被係合部４２が上方に突設される。介在部材３０はパッド体１０のベース部１２の下面に固着される。介在部材３０には、下方に開口した凹部が形成され、軸部４２ｂに対応する貫通穴３２ｃが形成される。介在部材３０における貫通穴３２ｃの周りの肉部が係合部３２となる。介在部材３０の係合部３２に突起部３３が下方に突設される。
【００５２】
鉤部４２ａを、貫通穴３２ｃを貫通させ、係合部３２と被係合部４２とを係合させることで、係合部３２の弾性によって、係合部３２がケース４０に対して強制的に押圧状態で接触させられる。すなわち、係合部３２の上部がケース４０の被係合部４２の鉤部４２ａに対して押圧状態となると共に、突起部３３がケース４０の基部４０ａに対して押圧状態となる。主として係合部３２の突起部３３が、振動抑制部としての機能を果たす。
【００５３】
第７の変形例（図３（ｅ））では、パッド体１０のベース部１２から、軸部１５ｂと軸部１５ｂに連設される先端部である鉤部１５ａとで成る被係合部１５が下方に突設される。
【００５４】
介在部材３０はケース４０の基部４０ａの上面に固着される。介在部材３０には、上方に開口した凹部が形成され、軸部１５ｂに対応する貫通穴３２ｃが形成される。介在部材３０における貫通穴３２ｃの周りの肉部が係合部３２となる。介在部材３０の係合部３２に突起部３３が上方に突設される。
【００５５】
鉤部１５ａを、貫通穴３２ｃを貫通させ、係合部３２と被係合部１５とを係合させることで、係合部３２の弾性によって、係合部３２がベース部１２に対して強制的に押圧状態で接触させられる。すなわち、係合部３２の下部が鉤部１５ａの上面に対して押圧状態となると共に、突起部３３がベース部１２の下面に対して押圧状態となる。主として係合部３２の突起部３３が、振動抑制部としての機能を果たす。
【００５６】
なお、第２の変形例（図２（ｂ））のように、介在部材３０をパッド体１０の一部として軟質部１９と一体に形成する構成は、図３（ａ）、（ｄ）の構成においても適用可能である。
【００５７】
なお、１つのパッド体１０に複数の介在部材３０を設ける場合において、各々の介在部材３０の構成を統一する必要はなく、図１の構成、または第１〜第７の変形例を適宜組み合わせて採用してもよい。また、１つの電子打楽器に存在する複数のパッド体１０ごとに、採用する介在部材３０の構成を異ならせてもよい。
【００５８】
なお、支持体としてケース４０を例示したが、打撃時に床面に対して移動しない構成要素であればよい。
【００５９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の各変形例の一部を適宜組み合わせてもよい。
【符号の説明】
【００６０】
１０  パッド体（構成体）、  １０ａ  打撃面、  １２  ベース部、  １８  硬質部材（心材）、  １９  軟質部（弾性材）、  ３０  介在部材、  ３１  基部（振動抑制部）、  ３３  突起部（振動抑制部）、  ３２  係合部、  ３２ａ  鉤部（先端部）、  ４０  ケース（支持体、構成体）、  ４１ａ、１２ａａ  貫通穴、  ４１、１２ａ、１５、４２  被係合部、  Ｌ  直線
【図１】
2015215439.tif 000003
【図２】
2015215439.tif 000004
【図３】
2015215439.tif 000005
【図４】
2015215439.tif 000006